(57)【要約】  モジュラー壁構築のためのモジュラー壁締結具１００及びブラケット２００を本要約書において開示する。記載された実施の形態では、締結具１００は、モジュラー壁パネル４００、４１０、４２０の位置合わせされた孔４０８、４０９、４１８、４１９、４２８、４２９に挿通可能なピン部分１００と、壁３００の第１の面３０２を形成するようにモジュラー壁パネル４００、４１０、４２０をともに締結するように構成されているクリップ部分１０８とを備える。ブラケット２００が次いで、壁３００の第２の面３０４を形成するように、対向するモジュラー壁パネルを支持するために、モジュラー壁パネル４００、４１０、４２０の内表面に取り付けられる。【選択図】図１２
2013537267.tif 000002
【特許請求の範囲】
【請求項１】
壁の少なくとも一部を形成するように、隣接し合う第１のモジュラー壁パネル及び第２のモジュラー壁パネルをともに締結するモジュラー壁締結具であって、前記第１のモジュラー壁パネル及び前記第２のモジュラー壁パネルのそれぞれは、外面部分と、第１のサイド部分及び第２のサイド部分とを含み、該締結具は、
ロッド状体であって、
前記第１のモジュラー壁パネルの前記第２のサイド部分と前記第２のモジュラー壁パネルの前記第１のサイド部分とのそれぞれの位置合わせされた孔に挿通可能なピン部分と、
前記ピン部分に接続されている本体部分と、
前記本体部分に接続されているとともに、前記それぞれの外面部分を位置合わせして前記壁の前記少なくとも一部を形成するように、前記第１のモジュラー壁パネルの前記第２のサイド部分と前記第２のモジュラー壁パネルの前記第１のサイド部分とをともに締結するように構成されている、クリップ部分と、
を有するロッド状体を備える、モジュラー壁締結具。
【請求項２】
前記ピン部分はねじ部分を含む、請求項１に記載のモジュラー壁締結具。
【請求項３】
前記ピン部分に沿って配置されているとともに、前記第２のモジュラー壁パネルの前記第１のサイド部分に当接するように構成されているストッパープレートを更に備える、請求項１又は２に記載のモジュラー壁締結具。
【請求項４】
前記ストッパープレートは前記ピン部分に固定取り付けされる、請求項３に記載のモジュラー壁締結具。
【請求項５】
前記本体部分は、前記ピン部分と約１３９度の角度を形成する、請求項１〜４のいずれか１項に記載のモジュラー壁締結具。
【請求項６】
クリップ部分は前記本体部分と協働して、前記第２のモジュラー壁パネルの前記第１のサイド部分に対する係合のための係合点を形成する、請求項１〜５のいずれか１項に記載のモジュラー壁締結具。
【請求項７】
前記クリップ部分は概ねＵ字形である、請求項１〜６のいずれか１項に記載のモジュラー壁締結具。
【請求項８】
前記クリップ部分は、前記本体部分に接続されている第１の細長部材と、略９０度で該第１の細長部材に接続されているとともに前記ピン部分と概ね同じ方向に延びている第２の細長部材と、略９０度で該第２の細長部材に接続されているとともに前記第１の細長部材に対して略平行な方向に延びている第３の細長部材とを含む、請求項７に記載のモジュラー壁締結具。
【請求項９】
請求項１〜８のいずれか１項に記載のモジュラー壁締結具であって、前記クリップ部分の前記第３の細長部材に接続されている当接部分を更に備え、該当接部分は、前記第３の細長部材の長手方向軸と４５度〜５０度の間の角度で延びている、モジュラー壁締結具。
【請求項１０】
モジュラー壁パネルを支持するブラケットであって、
第１の縁及び第２の縁を有する支持構造体と、
前記第１の縁から延びているとともに、前記壁の第１の面の少なくとも一部を形成する第１のモジュラー壁パネルに該ブラケットを解放可能に取り付ける第１の係合機構を収納するように構成されている、第１のスロット手段と、
前記第２の縁から延びているとともに、前記壁の第２の面の少なくとも一部を形成する第２のモジュラー壁パネルを支持するように該第２のモジュラー壁パネルの第２の係合機構を受け入れるように構成されている、第２のスロット手段と、
を備える、ブラケット。
【請求項１１】
前記支持構造体は、複数の支持部材を支持するように構成されている支持フレームを含み、前記第１のスロット手段及び前記第２のスロット手段は、前記複数の支持部材のうちのそれぞれの支持部材に配置される、請求項１０に記載のブラケット。
【請求項１２】
前記支持フレームから突出する４つの支持部材を更に備え、前記第１のスロット手段は、前記第１の支持部材及び前記第４の支持部材に配置され、前記第２のスロット手段は、前記第１の支持部材と前記第４の支持部材との間に位置付けられる前記第２の支持部材及び前記第３の支持部材に配置される、請求項１１に記載のブラケット。
【請求項１３】
前記４つの支持部材のそれぞれは、前記第１の縁及び前記第２の縁を含み、前記第１の支持部材及び前記第２の支持部材の前記第１のスロット手段は、前記第１の縁から延びるように構成されており、前記第２の支持部材及び前記第３の支持部材の前記第２のスロット手段は、前記第２の縁から延びるように構成されている、請求項１２に記載のブラケット。
【請求項１４】
前記支持部材のそれぞれは、第１の短縁及び第２の短縁を有し、前記支持フレームは、前記第１の支持部材及び前記第２の支持部材の前記第１の短縁と接続する第１のフレーム部分と、前記第２の支持部材及び前記第３の支持部材の前記第２の短縁と接続する第２のフレーム部分と、前記第３の支持部材及び前記第４の支持部材の前記第１の短縁と接続する第３のフレーム部分とを含む、請求項１３に記載のブラケット。
【請求項１５】
請求項１０〜１４のいずれか１項に記載のブラケットであって、第１の係合機構及び第２の係合機構を更に備え、各係合機構は、前記第１のモジュラー壁パネル又は前記第２のモジュラー壁パネルの孔に挿通するインサートと、該インサートと協働して前記第１のスロット手段又は前記第２のスロット手段と係合するねじとを含む、ブラケット。
【請求項１６】
請求項１〜９のいずれか１項に記載のモジュラー壁締結具と、請求項１０〜１５のいずれか１項に記載のブラケットとの結合物。
【請求項１７】
請求項１〜９のいずれか１項に記載のモジュラー壁締結具を用いて、壁の少なくとも一部を形成するように、隣接し合う第１のモジュラー壁パネル及び第２のモジュラー壁パネルをともに締結する方法であって、前記第１のモジュラー壁パネル及び前記第２のモジュラー壁パネルのそれぞれは、外面部分と、第１のサイド部分及び第２のサイド部分とを含み、前記方法は、
前記第１のモジュラー壁モジュールの前記第２のサイド部分と前記第２のモジュラー壁パネルの前記第１のサイド部分とのそれぞれの位置合わせされた孔に前記ピン部分を挿通する工程であって、前記ピン部分は、前記位置合わせされた孔と協働して、前記締結具が中心にして回転することを可能にする枢点を提供するように配置される工程と、
前記それぞれの外面部分を位置合わせして前記壁の前記少なくとも一部を形成するように、前記第１のモジュラー壁パネルの前記第２のサイド部分及び前記第２のモジュラー壁パネルの前記第１のサイド部分をともに締結するよう前記クリップ部分を付勢するように前記枢点を中心に前記締結具を回転させる工程と、
を含む、方法。
【請求項１８】
請求項１７に記載の方法であって、前記ピン部分はねじ部分を含み、該方法は、スペーサーを前記ねじ部分に挿通する工程と、前記スペーサーが前記第１のモジュラー壁パネルの前記第２のサイド部分と係合するように前記ねじ部分と嵌合するナットを固定する工程とを更に含む、請求項１７に記載の方法。
【請求項１９】
請求項１０〜１５のいずれか１項に記載のブラケットを複数用いてモジュラー壁を構築する方法であって、前記モジュラー壁は、第１のモジュラー壁パネル、第２のモジュラー壁パネル及び第３のモジュラー壁パネルから構築され、各モジュラー壁パネルは、外面部分と、第１のサイド部分及び第２のサイド部分とを含み、前記方法は、
前記第１のモジュラー壁パネル、前記第２のモジュラー壁パネル及び前記第３のモジュラー壁パネルのそれぞれの孔に係合機構を取り付ける工程と、
前記第１のモジュラー壁パネルの前記それぞれの係合機構を前記複数のブラケットのうちの第１のブラケットの前記第１のスロット手段に差し込むことによって、前記複数のブラケットのうちの前記第１のブラケットを取り付ける工程と、
前記第２のモジュラー壁パネルの前記それぞれの係合機構を前記複数のブラケットのうちの第２のブラケットの前記第１のスロット手段に差し込むことによって、前記複数のブラケットのうちの前記第２のブラケットを取り付ける工程であって、前記第１のモジュラー壁パネル及び前記第２のモジュラー壁パネルは、前記それぞれの外面部分が位置合わせされるように横並びに配置される工程と、
前記第３のモジュラー壁パネルの前記外面部分が外側に面するように、前記第１のモジュラー壁パネル及び前記第２のモジュラー壁パネルに対向するとともに前記第１のモジュラー壁パネル及び前記第２のモジュラー壁パネルからずらして前記第３のモジュラー壁パネルを配置する工程と、
前記第３のモジュラー壁パネルに取り付けられている前記それぞれの係合機構が、前記第１のモジュラー壁パネル及び前記第２のモジュラー壁パネルにそれぞれ取り付けられる前記複数のブラケットのうちの前記第１のブラケット及び前記第２のブラケットのそれぞれの第２のスロット手段に収納されることを可能にするように、前記第３のモジュラー壁パネルを持ち上げる工程と、
を含む、方法。
【請求項２０】
前記係合機構は、前記孔に挿通するインサートと、該インサートと協働して前記第１のスロット手段又は前記第２のスロット手段と係合するねじとを含む、請求項１９に記載の方法。
【発明の詳細な説明】
【技術分野】
【０００１】
本発明は、モジュラー壁構築のための付属品、及びモジュラー壁を構築する方法に関する。
【背景技術】
【０００２】
モジュラー壁パネルから構造壁を形成する方法が知られている。一般的な方法では、２つ以上の一次モジュラー壁パネルが、構造壁の第１の面を形成するように位置合わせされ、次いでともに締結される。次いで、二次モジュラー壁パネルが第１の面と対向して位置合わせされ、構造壁の第２の面を形成するように一次モジュラー壁パネルに連結される。しかしながら、一次モジュラー壁パネルがともに締結される方法、及び二次モジュラー壁パネルが一次モジュラー壁パネルに連結される方法は複雑である。
【発明の概要】
【発明が解決しようとする課題】
【０００３】
本発明の目的は、従来技術の問題点のうちの少なくとも１つを解消する、モジュラー壁締結具、モジュラー壁ブラケット、及び、モジュラー壁を構築する方法を提供すること、及び／又は、有用な選択を公に提供することである。
【課題を解決するための手段】
【０００４】
本発明の第１の態様によれば、壁の少なくとも一部を形成するように、隣接し合う第１のモジュラー壁パネル及び第２のモジュラー壁パネルをともに締結するモジュラー壁締結具であって、前記第１のモジュラー壁パネル及び前記第２のモジュラー壁パネルのそれぞれは、外面部分と、第１のサイド部分及び第２のサイド部分とを含み、該締結具は、
ロッド状体であって、
前記第１のモジュラー壁パネルの前記第２のサイド部分と前記第２のモジュラー壁パネルの前記第１のサイド部分とのそれぞれの位置合わせされた孔に挿通可能なピン部分と、
前記ピン部分に接続されている本体部分と、
前記本体部分に接続されているとともに、前記それぞれの外面部分を位置合わせして前記壁の前記少なくとも一部を形成するように、前記第１のモジュラー壁パネルの前記第２のサイド部分及び前記第２のモジュラー壁パネルの前記第１のサイド部分をともに締結するように構成されている、クリップ部分と、
を有するロッド状体を備える、隣接し合う第１のモジュラー壁パネル及び第２のモジュラー壁パネルをともに締結するモジュラー壁締結具が提供される。
【０００５】
記載される実施の形態の利点は、締結具の「挿通及びロック／締結」機能により、モジュラー壁パネルを設置することが非常に容易になることである。また、締結具は、第１のモジュラー壁パネル及び第２のモジュラー壁パネルからクリップ部分を解除することによってクリップ留めを外されるものとすることができるため、壁パネルを分解することが容易である。
【０００６】
好ましくは、ピン部分はねじ部分を含み、このねじ部分が、ナット及びスペーサーを受けて、第１のモジュラー壁パネルの第２のサイド部分及び第２のモジュラー壁パネルの第１のサイド部分をモジュラー壁締結具に締め付けることができる。前記モジュラー壁締結具は、前記ピン部分に沿って配置されているとともに、前記第２のモジュラー壁パネルの前記第１のサイド部分に当接するように構成されているストッパープレートを更に備えることができる。好ましくは、前記ストッパープレートは前記ピン部分に固定取り付けされる。
【０００７】
前記本体部分は、前記ピン部分と約１３９度の角度を形成することができる。
【０００８】
前記クリップ部分は前記本体部分と協働して、前記第２のモジュラー壁パネルの前記第１のサイド部分に対する係合のための係合点を形成することができる。このようにして、これにより、モジュラー壁締結具と第２のモジュラー壁パネルの第１のサイド部分及び第１のモジュラー壁パネルの第２のサイド部分との係合が改善される。
【０００９】
前記クリップ部分は概ねＵ字形であることができる。前記クリップ部分は、前記本体部分に接続されている第１の細長部材と、略９０度で該第１の細長部材に接続されているとともに前記ピン部分と概ね同じ方向に延びている第２の細長部材と、略９０度で該第２の細長部材に接続されているとともに前記第１の細長部材に対して略平行な方向に延びている第３の細長部材とを含むことができる。前記モジュラー壁締結具はまた、前記クリップ部分の前記第３の細長部材に接続されている当接部分を備えることができ、該当接部分は、前記第３の細長部材の長手方向軸と４５度〜５０度の間の角度で延びている。
【００１０】
本発明の第２の態様では、モジュラー壁パネルを支持するブラケットであって、
第１の縁及び第２の縁を有する支持構造体と、
前記第１の縁から延びているとともに、前記壁の第１の面の少なくとも一部を形成する第１のモジュラー壁パネルに該ブラケットを解放可能に取り付ける第１の係合機構を収納するように構成されている、第１のスロット手段と、
前記第２の縁から延びているとともに、前記壁の第２の面の少なくとも一部を形成する第２のモジュラー壁パネルを支持するように該第２のモジュラー壁パネルの第２の係合機構を収納するように構成されている、第２のスロット手段と、
を備える、モジュラー壁パネルを支持するブラケットが提供される。
【００１１】
記載されている実施の形態の利点は、異なる縁から延びるようにスロット手段を構成することによって、ブラケットを、モジュラー壁パネルに取り付けるとともに第２のモジュラー壁パネルを支持するのに融通性のあるものにすることである。分解もまた、第２のモジュラー壁パネルを第２のスロット手段から外しさえすればよく、同様にブラケットを容易に取り外すことができるため、容易である。
【００１２】
前記支持構造体は、複数の支持部材を支持するように構成されている支持フレームを含むことができ、前記第１のスロット手段及び前記第２のスロット手段は、前記複数の支持部材のうちのそれぞれの支持部材に配置される。有利には、前記ブラケットは、前記支持フレームから突出する４つの支持部材を更に備えることができ、前記第１のスロット手段は、前記第１の支持部材及び前記第４の支持部材に配置されることができ、前記第２のスロット手段は、前記第１の支持部材と前記第４の支持部材との間に位置付けられる前記第２の支持部材及び前記第３の支持部材に配置されることができる。
【００１３】
前記４つの支持部材のそれぞれは、前記第１の縁及び前記第２の縁を含むことができ、前記第１の支持部材及び前記第２の支持部材の前記第１のスロット手段は、前記第１の縁から延びるように構成されることができ、前記第２の支持部材及び前記第３の支持部材の前記第２のスロット手段は、前記第２の縁から延びるように構成されることができる。
【００１４】
前記支持部材のそれぞれは、第１の短縁及び第２の短縁を有することができ、前記支持フレームは、前記第１の支持部材及び前記第２の支持部材の前記第１の短縁と接続する第１のフレーム部分と、前記第２の支持部材及び前記第３の支持部材の前記第２の短縁と接続する第２のフレーム部分と、前記第３の支持部材及び前記第４の支持部材の前記第１の短縁と接続する第３のフレーム部分とを含むことができる。
【００１５】
前記ブラケットはまた、第１の係合機構及び第２の係合機構を備えることができ、各係合機構は、前記第１のモジュラー壁パネル又は前記第２のモジュラー壁パネルの孔に挿通するインサートと、該インサートと協働して前記第１のスロット手段又は前記第２のスロット手段と係合するねじとを含む。
【００１６】
本発明の第３の態様では、組合せにおける、上記で説明したモジュラー壁締結具を、上記で説明したブラケットとのキットとして、又は該ブラケットと組み合わせてパッケージすることができる。
【００１７】
本発明の第４の態様は、上述したモジュラー壁締結具を用いて、壁の少なくとも一部を形成するように、隣接し合う第１のモジュラー壁パネル及び第２のモジュラー壁パネルをともに締結する方法であって、前記第１のモジュラー壁パネル及び前記第２のモジュラー壁パネルのそれぞれは、外面部分と、第１のサイド部分及び第２のサイド部分とを含み、前記方法は、
前記第１のモジュラー壁モジュールの前記第２のサイド部分と前記第２のモジュラー壁パネルの前記第１のサイド部分とのそれぞれの位置合わせされた孔に前記ピン部分を挿通する工程であって、前記ピン部分は、前記位置合わせされた孔と協働して、前記締結具が中心にして回転することを可能にする枢点を提供するように配置される工程と、
前記それぞれの外面部分を位置合わせして前記壁の前記少なくとも一部を形成するように、前記第１のモジュラー壁パネルの前記第２のサイド部分及び前記第２のモジュラー壁パネルの前記第１のサイド部分をともに締結するよう前記クリップ部分を付勢するように前記枢点を中心に前記締結具を回転させる工程と、
を含む方法に関する。
【００１８】
前記ピン部分がねじ部分を含む場合、前記方法は、スペーサーを前記ねじ部分に挿通する工程と、前記スペーサーが前記第１のモジュラー壁パネルの前記第２のサイド部分と係合するように前記ねじ部分と嵌合するナットを固定する工程とを更に含むことができる。
【００１９】
本発明の第５の態様では、複数のブラケットを用いてモジュラー壁を構築する方法であって、各ブラケットは上述した機能部によるものであり、前記モジュラー壁は、第１のモジュラー壁パネル、第２のモジュラー壁パネル及び第３のモジュラー壁パネルから構築され、各モジュラー壁パネルは、外面部分と、第１のサイド部分及び第２のサイド部分とを含み、前記方法は、
前記第１のモジュラー壁パネル、前記第２のモジュラー壁パネル及び前記第３のモジュラー壁パネルのそれぞれの孔に係合機構を取り付ける固定する工程と、
前記第１のモジュラー壁パネルの前記それぞれの係合機構を前記複数のブラケットのうちの第１のブラケットの前記第１のスロット手段に差し込むことによって、前記複数のブラケットのうちの前記第１のブラケットを取り付ける工程と、
前記第２のモジュラー壁パネルの前記それぞれの係合機構を前記複数のブラケットのうちの第２のブラケットの前記第１のスロット手段に差し込むことによって、前記複数のブラケットのうちの前記第２のブラケットを取り付ける固定する工程であって、前記第１のモジュラー壁パネル及び前記第２のモジュラー壁パネルは、前記それぞれの外面部分が位置合わせされるように横並びに配置される工程と、
前記第３のモジュラー壁パネルの前記外面部分が外側に面するように、前記第１のモジュラー壁パネル及び前記第２のモジュラー壁パネルに対向するとともに前記第１のモジュラー壁パネル及び前記第２のモジュラー壁パネルからずらして前記第３のモジュラー壁パネルを配置する工程と、
前記第３のモジュラー壁パネルに取り付けられている前記それぞれの係合機構が、前記第１のモジュラー壁パネル及び前記第２のモジュラー壁パネルにそれぞれ取り付けられる前記複数のブラケットのうちの前記第１のブラケット及び前記第２のブラケットのそれぞれの第２のスロット手段に受け入れられることを可能にするように、前記第３のモジュラー壁パネルを持ち上げる工程と、
を含む方法が提供される。
【００２０】
前記係合機構は、前記孔のうちの１つに挿通するインサートと、該インサートと協働して前記第１のスロット手段又は前記第２のスロット手段と係合するねじとを含むことができる。
【００２１】
ここで本発明の一例を添付の図面を参照しながら説明する。
【図面の簡単な説明】
【００２２】
【図１】本発明の好ましい実施形態によるモジュラー壁締結具の斜視図である。
【図２】図１のモジュラー壁締結具の正面図である。
【図３】図１のモジュラー壁締結具の側面図である。
【図４】本発明の好ましい実施形態によるモジュラー壁ブラケットの斜視図である。
【図５】図４のモジュラー壁ブラケットの平面図である。
【図６】図５の方向ＡＡにおける図５のモジュラー壁ブラケットを示す図である。
【図７】図５の方向ＢＢにおける図５のモジュラー壁ブラケットを示す図である。
【図８】壁の第１の面の少なくとも一部を形成するように横並びに配置された３つのモジュラー壁パネルを示す図である。
【図９】図８の方向ＣＣにおける図８のモジュラー壁パネルのうちの２つ（破線で図示する）の僅かに拡大した断面図である。
【図１０】図９の方向ＤＤからの側面図である。
【図１１】図９の方向ＥＥからの正面図である。
【図１２】図８のモジュラー壁パネルをともに締結するための、図１の締結具の使用を示す図である。
【図１３】図８の壁の第２の面の少なくとも一部の構造を示す図である。
【図１４】図４のブラケットをモジュラー壁パネルのうちの１つに取り付ける係合機構の拡大図である。
【図１５】壁の第１の面のためのモジュラー壁パネル及び第２の面のためのモジュラー壁パネルの上面図である。
【図１６】図１３において使用される図４のブラケット、及び、ブラケットをモジュラー壁パネルのうちの１つに取り付ける係合機構を示す図である。
【図１７】３つのモジュラー壁パネル及び２つのモジュラー壁パネルからそれぞれ構成される、図１３の壁の第１の面及び第２の面の上面図である。
【図１８】図４のブラケットの変形形態である。
【発明を実施するための形態】
【００２３】
モジュラー壁を構築するための第１の付属品が図１に示されており、この図は、本発明の好ましい実施形態によるモジュラー壁締結具１００の斜視図である。モジュラー壁締結具１００は、ロッド状体１０２を有し、概ねＪ字形の構造を有する。本実施形態では、ロッド状体１０２は単一長さの鋼ロッドから作られる。ロッド状体１０２は、概ね円筒形の断面を有し、ピン部分１０４と、ピン部分１０４に接続される本体部分１０６と、本体部分１０６に接続されるクリップ部分１０８とを有して構成される。
【００２４】
ピン部分１０４は、実質的に長手方向であり、下記で更に説明する所定の長さｔを有し、ロッド状体１０２の第１の自由端１１２の近くに雄ねじ端セクション１１０を有する。モジュラー壁締結具１００は、スペーサー１１４と、雄ねじ端セクション１１０と嵌合する対応する雌ねじセクション（図示せず）を有するナット１１６とを備える。
【００２５】
モジュラー壁締結具１００はまた、ピン部分１０４の、本体部分１１６により近い位置に固定取り付けされるストッパープレート（stopper plate）１１８を備える。ストッパープレート１１８とロッド状体１０２の第１の自由端１１２との間の距離は、モジュラー壁締結具１００によってともに保持されるモジュラー壁パネルのサイズ及び形状に応じて予め定められる。図１は、ロッド状体１０２と分離されているスペーサー１１４及びナット１１６を示し、図２は、雄ねじ端セクション１１０に挿通しているスペーサー１１４と、雄ねじ端セクション１００と嵌合しているナット１１６とを示す。
【００２６】
また、本体部分１０６は、実質的に真っ直ぐであり、鋭角１２０でピン部分１０４に接続されており、本実施形態では、鋭角は約７０度〜８０度である。
【００２７】
本体部分１０６は、概ねＵ字形であるクリップ部分１０８に接続されている。クリップ部分１０８は、本体部分１０６に接続されている第１の細長部材１２２と、略９０度で第１の細長部材１２２に接続されているとともにピン部分１０４と概ね同じ方向に延びている第２の細長部材１２４と、略９０度で第２の細長部材１２４に接続されているとともに第１の細長部材１２２に対して略平行にピン部分１０４に向かって延びている第３の細長部材１２６とを含む。このようにして、ピン部分１０４と、本体部分１０６と、クリップ部分１０８との構成が、上述したような概ねＪ字形の構造を形成する。
【００２８】
クリップ部分１０８の第１の細長部材１２２は、係合点１３０を形成するように鈍角１２８で本体部分１０６に接続されている。本実施形態では、鈍角１２８は約１３９度であり（図３を参照のこと）、鈍角１２８は約１３５度〜約１４５度の間であり得ることが考えられる。
【００２９】
クリップ部分１０８はまた、第３の細長部材１２６の長手方向軸からずれた角度で第３の細長部材１２６から延びている当接部分１３２を含む。その角度は、図１に示されているように約４８度である。
【００３０】
モジュラー壁を構築するための第２の付属品が図４に示されており、この図は、本発明の好ましい実施形態によるモジュラー壁ブラケット２００を示す。
【００３１】
モジュラー壁ブラケット２００は、厚さが約３ｍｍである鋼プレートから作られた支持構造体２０２を備える。支持構造体２０２は、支持フレーム２０４と、支持フレーム２０４から突出している複数の離間した支持部材２０６、２０８、２１０、２１２とを有して構成されている。支持部材２０６、２０８、２１０、２１２のそれぞれは、実質的に矩形であり、２つの長縁２０６ａ及び２０６ｂ、２０８ａ及び２０８ｂ、２１０ａ及び２１０ｂ、２１２ａ及び２１２ｂと、２つの短縁２０６ｃ及び２０６ｄ、２０８ｃ及び２０８ｄ、２１０ｃ及び２１０ｄ、２１２ｃ及び２１２ｄとを有し、短縁のうちの一方２０６ｃ、２０８ｃ、２１０ｃ、２１２ｃが支持フレーム２０４に接続されている。
【００３２】
支持部材２０６、２０８、２１０、２１２のそれぞれは、支持フレーム２０４から概ね同じ方向に突出しており、第１のスロット手段２１４、２１６及び第２のスロット手段２１８、２２０を含む。第１の支持部材２０４の第１のスロット手段２１４及び第４の支持部材２０８の第１のスロット手段２１６は、長縁のうちの一方２０６ｂ、２０８ｂから延びているスロット２１４ａ、２１６ａを含む。第２のスロット手段２１８、２２０は、他方で、他方の長縁２１０ａ、２１２ａからそれぞれ延びているスロット２１８ａ、２２０ａを含む。換言すれば、本実施形態における第１のスロット手段及び第２のスロット手段は、種々の支持部材２０６、２０８、２１０、２１２に配置されている。
【００３３】
図４のブラケット２００の平面図である図５に示されているように、支持フレーム２０４は、ブラケット２００が取り付けられるモジュラー壁パネルの内表面に合致する輪郭となっており、本実施形態では、ブラケットは、真っ直ぐである中央部分２０４ａと、それぞれの第１の支持部材２０６及び第４の支持部材２０８と約１０５度の内角を形成するように僅かに斜角となっている端部分２０４ｂとを有する。このようにして、ブラケットは、モジュラー壁パネルの内表面の輪郭に合致することができる。
【００３４】
第２の支持部材２１０及び第３の支持部材２１２は、支持フレーム２０４の中央部分２０４ａに接続されており、第２の支持部材２１０及び第３の支持部材２１２のそれぞれは、第２の支持部材２１０と第３の支持部材２１２との間で測定した場合、中央部分２０４ａの長手方向軸に対して約９２度の角度を形成する。約９２度の角度はモジュラー壁パネルの輪郭に合致することを意図されており、したがって、モジュラー壁パネルの輪郭に応じて他の角度も考えられる。第２の支持部材２１０及び第３の支持部材２１２は、第１の支持部材２０６及び第４の支持部材２０８よりも長いことを理解されたい。
【００３５】
図６は、第４の支持部材２０８をより明確に示すために、図５の方向ＡＡにおける図４のブラケット２００の図を示す。スロット２１６ａは、長縁２０８ｂから延びているとともに、半円の端セグメント２１６ｄと合流するように内方にテーパー状になっている側部（side）２１６ｃを有することを理解されたい。第４の支持部材２０８のスロット２１６ａは、第１の支持部材２０６のスロット２１４ａと同様の構造を有する。
【００３６】
図７は、第３の支持部材２１２の第３のスロット手段２２０の構造をより明確に示すために、図４のブラケットの、図５の方向ＢＢからの図を示す。第３のスロット手段２２０のスロット２２０ａは、第３の支持部材２１２の長縁２１２ａと約５９度〜６０度の角度を形成する主軸２２２を有する。スロット２２０ａは、５９度〜６０度の同じ角度で長縁２１０ａから延びている第１の側部２２０ｂと、第２の側部２２０ｃとを有する。第２の側部２２０ｃは、長縁２１０ａと略９０度の角度を形成する第１の部分２２０ｄと、第１の部分２２０ｄから延びているとともに第１の側部２２０ｃに対して略平行である第２の部分２２０ｅとを有する。スロット２２０ａは、半円のヘッド部分２２０ｆによって閉じられている。したがって、第１の部分２２０ｄ及び第１の側部２２０ｄは、スロット２２０ａとの係合機構のより容易な位置付けのために長縁２１０ａにおいてより大きな開口部を形成する。
【００３７】
ここで締結具１００及びブラケット２００の使用を説明する。
【００３８】
図８は、第１の面３０２を有する壁３００を示す。壁３００は、壁３００の第１の面３０２を形成するように横並びに配置された３つのモジュラー壁パネル４００、４１０、４２０から形成される。本実施形態では、各モジュラー壁パネル４００、４１０、４２０は同一であるが、必ずしも同一でなくてもよい。各壁パネル４００、４１０、４２０は、第１の面３０２を形成するように位置合わせされるフロント部分４０２、４１２、４２２と、概ねＣ字形の断面を形成するように２つのサイド部分４０４、４０６、４１４、４１６、４２４、４２６とを含む。サイド部分４０４、４０６、４１４、４１６、４２４、４２６の各対は、所定の位置において形成されている係合孔４０８、４０９、４１８、４１９、４２８、４２９（係合孔４１８、４２８は図８では視界から隠れている）を含み、本実施形態では、係合孔４０８、４０９、４１８、４１９、４２８、４２９は、互いに１５０ｍｍだけ離間している。１５０ｍｍ〜２００ｍｍの間隔が、モジュラー壁パネル４００、４１０、４２０をほぼ全ての用途に使用することを可能にすることが分かっているため、好ましいが、用途に応じて他の間隔も考えられる。また、モジュラー壁パネル４００、４１０、４２０は通常、高さが２．７ｍｍ〜３ｍの間で作製されるが、モジュラー壁パネル４００、４１０、４２０がモジュラー壁パネルを或る特定の用途に合わせるように切断される必要がある場合、１５０ｍｍ〜２００ｍｍの間隔が、そのような用途に対応することができることが分かっている。このことは、モジュラー壁パネル４００、４１０、４２０が、標準構造で作製又は製造され、用途に応じて所定のサイズに切断され得るため、特に有用である。
【００３９】
図９は、図８の方向ＣＣにおける第１のモジュラー壁パネル４００及び第２のモジュラー壁パネル４１０の僅かに拡大した断面図であり、第１のモジュラー壁パネル４００及び第２のモジュラー壁パネル４１０が破線で示されている。理解され得るように、第１のモジュラー壁パネル４００の第２のサイド部分４０６は厚さｔ１を有し、第２のモジュラー壁パネル４１０の第１のサイド部分４１４は厚さｔ２を有する。この厚さｔ１及びｔ２の双方は同じであるものとすることができることを理解されたい。
【００４０】
第１のモジュラー壁パネル４００及び第２のモジュラー壁パネル４１０が端対端の関係で配置されている場合、すなわち、第１のモジュラー壁パネル４００の第２のサイド部分４０６が第２のモジュラー壁パネル４１０の第１のサイド部分４１４の隣に配置され、係合孔４０９、４１８が位置合わせされている場合、締結具１００のピン部分１０４は、図９に示されているように、雄ねじセクション１１０の少なくとも一部が、第１のモジュラー壁パネル４００の第２のサイド部分４０６と第２のモジュラー壁パネル４１０の第１のサイド部分４１４との組み合わさった厚さ（ｔ１＋ｔ２）を越えて突出するように、位置合わせされた孔４０９’、４１８’のうちの一方に挿通される。換言すれば、ピン部分１０４の長さｔは、雄ねじセクション１１０が第１のサイド部分４０６を越えて突出するように、組み合わさった厚さ（ｔ１＋ｔ２）よりも長い必要がある。
【００４１】
締結具１００のストッパープレート１１８は、第２のモジュラー壁パネル４１０の第１のサイド部分４１４の内表面４１４ａに当接するように配置されており、ピン部分１０４は、クリップ部分１０８が第１のモジュラー壁パネル４００の第２のサイド部分４０６及び第２のモジュラー壁パネル４１０の第１のサイド部分４１４をともに締結するために、位置合わせされた孔４０９’、４１８’と協働して、締結具１００が回転する（図１０における矢印Ｃを参照のこと）支点を提供する。
【００４２】
クリップ部分１０８の輪郭は、第２のサイド部分４０６及び第１のサイド部分４１４の輪郭と合致するように構成されており、前記クリップ部分１０８の第２の細長部材１２４の長さは、第３の細長部材１２６が第２のサイド部分４０６の内表面４０６ｂと摩擦係合する（図１１を参照のこと）ように、第１のモジュラー壁パネル４００の第２のサイド部分４０６と第２のモジュラー壁パネル４１０の第１のサイド部分４１４との組み合わさった厚さ（ｔ１＋ｔ２）と合致するように構成されている。クリップ部分１０８が第１の細長部材１２２と第３の細長部材１２６との間で２つのサイド部分４０４、４１６をともに締結するように、ハンマー等の工具を用いて、図１０に示されている方向Ｃに当接部分１３２を叩くことができる。
【００４３】
その後、スペーサー１１４及びナット１１６が雄ねじセクション１１０に挿通され、それによって、ナット１１６が雄ねじセクション１１０と嵌合して締結具１００を適所にロックする。このようにして、２つのサイド部分４０４、４１６、したがって２つのモジュラー壁パネル４００、４１０が、ともに保持され、ともに動きを拘束される。
【００４４】
モジュラー壁パネル４００、４１０、４２０の高さに応じて、２つ以上の締結具１００を用いてモジュラー壁パネル４００、４１０、４２０をともにロックすることができる。図１２に示されているように、３つの締結具１００を用いて第１のモジュラー壁パネル４００及び第２のモジュラー壁パネル４１０をともにロックし、同様に、さらに３つの締結具１００を用いて第２のモジュラー壁パネル４１０を第３のモジュラー壁パネル４２０にロックする。
【００４５】
締結具１００は、使用者が、位置合わせされた孔４０９、４１８のうちの一方にピン部分１０４を挿通し、次いで、クリップ部分１０８を用いて２つのサイド部分４０４、４１６をともにロック又は締結するように締結具１００を回転させるだけでよいため、使い易い。こうして、「挿通及びロック」作用により、２つのモジュラー壁パネル４００、４１０をともに保持することが非常に容易となる。
【００４６】
モジュラー壁パネル４００、４１０、４２０が締結具１００によってともに保持される場合、モジュラー壁パネル４００、４１０、４２０は、従来の手段によって上部支持（例えば、屋根）及び／又は下部支持（例えば、床）に接続される。
【００４７】
壁３００の第２の面３０４を構築する必要がある場合、更なる第４のモジュラー壁パネル４３０が図１３に示されているように用いられる。簡潔のため、第１のモジュラー壁パネル４００及び第２のモジュラー壁パネル４１０のみが図１３に示されている。第４のモジュラー壁パネル４３０は、第１の３つのモジュラー壁パネル４００、４１０、４２０と同様であり、この場合も、概ねＣ字形の構造を形成するように、フロント部分４３２と２つのサイド部分４３４、４３６とを有する。第４のモジュラー壁パネル４３０もまた、他の３つのモジュラー壁パネル４００、４１０、４２０に関して前述したように、第４のモジュラー壁パネル４３０の高さに沿った所定位置において形成されている係合孔４３８、４３９（孔４３９は視界から隠れている）を含む。
【００４８】
ブラケット２００を第１のモジュラー壁パネル４００の内表面４０１及び第２のモジュラー壁パネル４１０の内表面４１１に取り付けるために、係合機構５００が用いられ、この係合機構は図１４に示されている。係合機構５００は、遠位端において頭部５０４を有するねじ５０２と、近位端においてアーレンキー端部分５０８で終端している雄ねじ体５０６とを含む。頭部５０４もまた、適したアーレンキーによる係合のためにアーレンキー端部分を含むが、このアーレンキー端部分は図面には示されていないことを理解されたい。
【００４９】
係合機構５００は、円形の頭部５１２と円筒形の中空体５１４とを有するインサート５１０を更に含む。円筒形の中空体５１４は、実質的に滑らかであり、中空体５１４内全体を円形の頭部５１２まで延びる内側雌ねじ部分５１６を含む。内側雌ねじ部分５１６は、ねじ５０２の雄ねじ体５０６と嵌合するように構成されている。
【００５０】
使用者は最初に、ブラケット２００を第１のモジュラー壁パネル４００に取り付ける位置を選択し、この場合では、上部から第２の対の係合孔４０８、４０９に対応する列が選択され、これらの係合孔は４０８’’、４０９’’によって参照される。同様に、第２のモジュラー壁パネル４１０の係合孔４１８、４１９の対応する列も選択され、これらの係合孔は４１８’’、４１９’’によって参照される。第４のモジュラー壁パネル４３０が適切に支持されるようにどの孔４０８、４０９を使用するかを使用者が決定するのに役立たせるために、本実施形態では、ブラケット２００を支持するように設計されている係合孔４０８、４０９は、拡孔頭部（図示せず）を有して形成されており、そのため、一例としてインサート５１０が第１のモジュラー壁パネル４００のサイド部分４０４、４０６の表面と面一になるようにインサート５１０の頭部５１２が拡孔頭部内に収納される。本実施形態では、選択された係合孔４０８’’、４０９’’はこのようにして構成されており、第２のモジュラー壁パネル４１０の係合孔４１８’’、４１９’’もそのように構成されている。インサート５１０は面一である必要はなく、これが当てはまる場合、係合孔４０８、４０９は全て、同じ方法で構成することができ、使用者は、ブラケット２００を取り付ける位置を選択する融通性を有することを理解されたい。
【００５１】
図１３の上面図であるとともに或る特定の細部が省かれている図１５から見て取ることができるように、ブラケット２００のうちの２つがモジュラー壁パネル４００、４１０のそれぞれに取り付けられている。説明の目的から、第１のモジュラー壁パネル４００のためのブラケット２００が、ブラケット２００と同様の部品に１０００を加えた第１のブラケット１２００として示されている。第２のモジュラー壁パネル４１０についてのブラケットが、ブラケット２００と同様の部品に２０００を加えた第２のブラケット２２００として示されている。第１のブラケット１２００及び第２のブラケット２２００をそれぞれの第１のモジュラー壁パネル４００の内表面４０１及び第２のモジュラー壁パネル４１０の内表面４１１に取り付けるのに４つの係合機構５００が用いられる。係合機構の同様の部品は、第１の係合機構には１０００、第２の係合機構には２０００、第３の係合機構には３０００、かつ第４の係合機構には４０００を加えた同様の参照符号（references）を用いる。
【００５２】
第１の係合機構１５００のインサート１５１０の円筒形の中空体１５１４が、第１のサイド部分の係合孔４０８’’に最初に挿通又はキャストされ、頭部１５１２が係合孔４０８’’及びその拡孔頭部内で面一になっている。インサート１５１０が係合孔４０８’’に挿通又はキャストされる場合、雄ねじ体１５０６が円筒形の中空体１５１４の内側雌ねじ部分１５１６と嵌合するように、ねじ１５０２がインサートの円筒形の中空体１５１４に挿通される。しかしながら、ねじ１５０２はインサート１５１０に対して完全には締められず、ねじ１５０２の頭部１５０４とインサート１５１０の頭部１５１２との間には間隙１５２０が存在する。
【００５３】
第２の係合機構２５００は、係合孔４０９’’に同様に取り付けられ、同じく、ねじの頭部２５０４と第２の係合機構２５００のインサートの頭部２５１２との間に間隙２５２０が存在する。
【００５４】
第１の係合機構１５００及び第２の係合機構２５００が第１のモジュラー壁パネル４００に取り付けられる場合、第１のブラケット１２００が、第１の係合機構１５００及び第２の係合機構２５００に解放可能に取り付けられる。この取付けは、第１の支持部材１２０６及び第４の支持部材１２０８のスロット１２１４ａ、１２１６ａを第１の係合機構１５００及び第２の係合機構２５００とそれぞれ係合させることによって行われる。図１６は、第１のモジュラー壁パネル４００及びインサート１５１０を示さずに係合をより明確に示す。したがって、間隙１５２０、２５２０は、スロット１２１４ａ、１２１６ａがそれぞれのねじ１５０２、２５０２と係合することを可能にするようになっている。
【００５５】
第２のブラケット２２００は、第３の係合機構３５００及び第４の係合機構４５００（図１５を参照のこと）を用いて第２のモジュラー壁パネル４１０に同様に取り付けられる。ブラケット１２００、２２００が適所に取り付けられると、ブラケット１２００、２２００は第４のモジュラー壁パネル４３０を支持する準備が完了する。
【００５６】
次に、ブラケット２００と構成が同様の更なる係合機構５５００、５６００が、上述したのと同じ方法で第４のモジュラー壁パネル４３０の第２の列の係合孔４３８’’、４３９’’に同様に挿通され、それぞれの係合機構５５００、５６００にある間隙５５２０、５６２０が、第１のブラケット１２００の第３の支持部材１２１２及び第２のブラケット２２００の第２の支持部材２２１０に対応するように形成される。
【００５７】
上記で説明したように、更なる係合機構５５００、５６００が第４のモジュラー壁パネル４３０に取り付けられる場合、サイド部分４３４、４３６がそれぞれの第１のモジュラー壁パネル４００の内表面４０１及び第２のモジュラー壁パネル４１０の内表面４１１に面するように、第４のモジュラー壁４３０が壁３００の第１の面３０２のモジュラー壁パネル４００、４１０、４２０と対向した関係で配置される。換言すれば、第４のモジュラー壁パネル４３０は、壁の第１の面３０２を形成するモジュラー壁パネル４００、４１０、４２０に対してずらされている。
【００５８】
第４のモジュラー壁４３０は次いで、間隙５５２０、５６２０が第１のブラケット２００の第３の支持部材２１２のそれぞれのスロット１２２０ａ及び第２のブラケット２２００の第２の支持部材２２１０のスロット２２１８ａ内に収納されるように僅かに持ち上がる。このようにして、それぞれの第１のブラケット１２００、２２００のスロット１２２０ａ、２２１８ａは、対向する第４のモジュラー壁パネル４３０を支持する。
【００５９】
ずらしに起因して、第１のブラケット１２００の第３の支持部材１２１２及び第２のブラケット２２００の第２の支持部材２２１０は、第４のモジュラー壁パネル４３０を支持することを理解されたい。このことは、図１７に示されているように、第１のブラケット１２００の第２の支持部材１２１０が、対向する端モジュラー壁パネル４５０を支持するように構成されており、同じく、第２のブラケット２２００の第３の支持部材２２１２が、更なる壁モジュールパネル４４０を支持するように構成されていることを意味する。端モジュラー壁パネル４５０は、第４のモジュラー壁パネル４３０と同様である。ただし、端モジュラー壁パネル４５０は、第４のモジュラー壁パネル４３０の幅の約半分であり、サイド部分４５２が１つである。図１７から理解され得るように、端モジュラー壁パネル４５０は、第４のモジュラー壁パネル４３０と同様の方法で第１のブラケット１２００の第２の支持部材１２１０によって支持されるように、係合機構５００と同様の係合機構５７００をサイド部分４５２の孔に取り付けることによって支持される。モジュラー壁パネル４５０と同様であるが異なる向きで構成されている更なる端モジュラー壁４６０を用いて、図１７に示されているような壁の第２の面３０４を完成させる。
【００６０】
モジュラー壁パネル４００、４１０、４２０、４３０の高さに応じて、より多くのブラケット２００を用いることができる。例えば、図１３では、各モジュラー壁パネル４００、４１０は、その高さに沿って３つのブラケット２００が取り付けられており、前述したように、使用者は、拡孔頭部を有する孔の位置に基づいてブラケット２００をどこに取り付けるかによってガイドされ得る。
【００６１】
上記により、壁３００の第１の面３０２及び第１の面３０４が容易に形成される。理解され得るように、モジュラー壁パネル４００、４１０、４２０、４３０、４４０は同じであるものとすることができ、これにより、製造作業及び設置作業における生産性がより高くなる。
【００６２】
ブラケット２００にスロット２１４ａ、２１６ａを設けて、壁の第１の面のためのモジュラー壁パネル及び壁の第２の面のためのモジュラー壁パネルを係合させることによって、これにより、モジュラー壁パネルは所定の係合孔４０８、４０９を有するように作製されさえすればよく、次いで、使用者が係合機構５００を取り付けてブラケット２００を支持させるため、融通性がより高まる。第１のスロット手段２１４、２１６及び第２のスロット手段２１８、２２０が支持部材２０６、２０８、２１０、２１２の対向する縁に形成される場合、これにより、ブラケット２００をここでも同様に、壁の第２の面３０４のためのモジュラー壁パネル４３０、４４０に解除可能に取り付けられるとともに壁の第１の面３０２のモジュラー壁パネル４００、４１０、４２０を支持することができるため、より高い融通性がもたらされる。
【００６３】
提案されるような締結具１００を用いれば、モジュラー壁パネルをともに締結することが比較的迅速であり、ねじ端部分１１０及びナット１１６によっていかなる調整も可能である。
【００６４】
提案される、モジュラー壁パネルを組み付けるための付属品１００、２００及び方法を用いれば、コストがより低く、速度がより高く、かつ品質がより優れた壁を構築することが可能である。さらに、これはまた、壁パネル、締結具１００及びブラケット２００を再使用及び再利用することができるため、「グリーン」テクノロジーを促進する。
【００６５】
記載されている実施形態は、限定的であるものと解釈すべきではない。例えば、クリップ部分１０８の第１の細長部材、第２の細長部材及び第３の細長部材は、互いに対して９０度である必要はない。代わりに、細長部材が締結機能を行うことができるのであれば８５度〜９５度の間等の他の角度も考えられる。また、ストッパープレート１１８、スペーサー１１４及びナット１１６は必須でなくてもよく、ロック作用又は締結作用はクリップ部分１０８によって達成することができるため、ピン部分１０４はねじ端部分１１０を有していなくてもよい。
【００６６】
さらに、当接部分１３２は必須でなくてもよいが、クリップ部分１０８が２つのモジュラー壁パネルの２つのサイド部分をともに摩擦係合するように使用者が締結具１００を強く叩く場所を提供するため、好ましいものであり得る。
【００６７】
ピン部分１０４が本体部分１０６と形成する角度、及び本体部分１０６がクリップ部分１０８と形成する角度は、単なる例示であり、これらの角度は、モジュラー壁パネルの構造に応じて変わり得る。また、クリップ部分１０８の第１の細長部材１２２、第２の細長部材１２４及び第３の細長部材１２６の構造（長さ及び角度等）は、モジュラー壁パネルの構成に応じて変わり得る。
【００６８】
さらに、ブラケット２００の構成も変わり得る。例えば、ブラケット２００は、単片の金属プレートから形成することができることが考えられる。そのような変形形態６００を、ブラケット６００の斜視図である図１８に概略的に示す。ブラケット６００は、第１の支持部材６０４及び第４の支持部材６０６を有する第１の支持フレーム６０３を有する支持構造体６０２を備え、第１の６０４及び第４の支持部材６０６もまた、壁の第１の面のためのモジュラー壁パネルのそれぞれの係合機構５００との係合のためのスロット６０４ａ、６０６ａを含む。第１の支持部材６０４のスロット６０４ａ及び第４の支持部材６０６のスロット６０６ａは、ブラケット２００のスロット２１４ａ、２１６ａと同様である。
【００６９】
支持構造体６０２は、第１の支持フレーム６０３と接続する第１の縁及び第２の支持フレーム６０５によって支持される第２の縁を有する、第２の支持部材６０８及び第３の支持部材６１０を更に含む。このようにして、第２の支持部材６０８と第３の支持部材６１０との間の開口部は、第１の支持部材と第２の支持部材との間の開口部と、第３の支持部材と第４の支持部材との間の開口部とは異なる方向に開口している。第２の支持部材と第３の支持部材との間の開口部は、対向するモジュラー壁パネルの２つのサイド部分を収納するように配置されており、そのため、これらのサイド部分は、図４のブラケット２００の第２の支持部材２１０及び第３の支持部材２１２と同じ方法で第２の支持部材６０８及び第３の支持部材６１０に設けられたスロット６０８ａ、６１０ａ内に受け入れられる。
【００７０】
ブラケット２００は、鋼又は他のタイプの金属の代わりに、高張力強度プラスチック等の他の複合材料から形成することができる。
【００７１】
記載されている実施形態では、複数のブラケット２００が、壁の第１の面を形成するモジュラー壁パネル４００、４１０、４２０に取り付けられ、次いでブラケット２００を用いて、壁の第２の面を形成する対向するモジュラー壁パネル４３０、４４０を支持する。
【００７２】
ここで、本発明を十分に記載してきたが、特許請求の範囲に記載されている範囲から逸脱せずに多くの変形を本発明に行うことができることが当業者には明らかであるものとする。
【図１】
2013537267.tif 000003
【図２】
2013537267.tif 000004
【図３】
2013537267.tif 000005
【図４】
2013537267.tif 000006
【図５】
2013537267.tif 000007
【図６】
2013537267.tif 000008
【図７】
2013537267.tif 000009
【図８】
2013537267.tif 000010
【図９】
2013537267.tif 000011
【図１０】
2013537267.tif 000012
【図１１】
2013537267.tif 000013
【図１２】
2013537267.tif 000014
【図１３】
2013537267.tif 000015
【図１４】
2013537267.tif 000016
【図１５】
2013537267.tif 000017
【図１６】
2013537267.tif 000018
【図１７】
2013537267.tif 000019
【図１８】
2013537267.tif 000020
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
モジュラー壁パネルを支持するブラケットであって、
支持フレームと、該支持フレームから突出する４つの支持部材とを有する支持構造体であって、第１の縁及び第２の縁を有する支持構造体と、
前記第１の縁から延びているとともに、前記壁の第１の面の少なくとも一部を形成する第１のモジュラー壁パネルに該ブラケットを解放可能に取り付ける第１の係合機構を収納するように構成されている、第１のスロット手段と、
前記第２の縁から延びているとともに、前記壁の第２の面の少なくとも一部を形成する第２のモジュラー壁パネルを支持するように該第２のモジュラー壁パネルの第２の係合機構を受け入れるように構成されている、第２のスロット手段と、
を備え、前記第１のスロット手段は、前記第１の支持部材及び前記第４の支持部材に配置され、前記第２のスロット手段は、前記第１の支持部材と前記第４の支持部材との間に位置付けられる前記第２の支持部材及び前記第３の支持部材に配置される、ブラケット。
【請求項２】
前記４つの支持部材のそれぞれは、前記第１の縁及び前記第２の縁を含み、前記第１の支持部材及び前記第２の支持部材の前記第１のスロット手段は、前記第１の縁から延びるように構成されており、前記第２の支持部材及び前記第３の支持部材の前記第２のスロット手段は、前記第２の縁から延びるように構成されている、請求項１に記載のブラケット。
【請求項３】
前記支持部材のそれぞれは、第１の短縁及び第２の短縁を有し、前記支持フレームは、前記第１の支持部材及び前記第２の支持部材の前記第１の短縁と接続する第１のフレーム部分と、前記第２の支持部材及び前記第３の支持部材の前記第２の短縁と接続する第２のフレーム部分と、前記第３の支持部材及び前記第４の支持部材の前記第１の短縁と接続する第３のフレーム部分とを含む、請求項２に記載のブラケット。
【請求項４】
請求項１〜３のいずれか１項に記載のブラケットであって、第１の係合機構及び第２の係合機構を更に備え、各係合機構は、前記第１のモジュラー壁パネル又は前記第２のモジュラー壁パネルの孔に挿通するインサートと、該インサートと協働して前記第１のスロット手段又は前記第２のスロット手段と係合するねじとを含む、ブラケット。
【請求項５】
モジュラー壁締結具と、請求項１〜４のいずれか１項に記載のブラケットとの結合物であって、前記モジュラー壁締結具は、
壁の少なくとも一部を形成するように、隣接し合う第１のモジュラー壁パネル及び第２のモジュラー壁パネルをともに締結するモジュラー壁締結具であって、前記第１のモジュラー壁パネル及び前記第２のモジュラー壁パネルのそれぞれは、外面部分と、第１のサイド部分及び第２のサイド部分とを含み、該締結具は、ロッド状体であって、
前記第１のモジュラー壁パネルの前記第２のサイド部分と前記第２のモジュラー壁パネルの前記第１のサイド部分とのそれぞれの位置合わせされた孔に挿通可能なピン部分と、
前記ピン部分に接続されている本体部分と、
前記本体部分に接続されているとともに、前記それぞれの外面部分を位置合わせして前記壁の前記少なくとも一部を形成するように、前記第１のモジュラー壁パネルの前記第２のサイド部分と前記第２のモジュラー壁パネルの前記第１のサイド部分とをともに締結するように構成されている、クリップ部分と、
を有するロッド状本体を備える、結合物。
【請求項６】
請求項１〜４のいずれか１項に記載のブラケットを複数用いてモジュラー壁を構築する方法であって、前記モジュラー壁は、第１のモジュラー壁パネル、第２のモジュラー壁パネル及び第３のモジュラー壁パネルから構築され、各モジュラー壁パネルは、外面部分と、第１のサイド部分及び第２のサイド部分とを含み、前記方法は、
前記第１のモジュラー壁パネル、前記第２のモジュラー壁パネル及び前記第３のモジュラー壁パネルのそれぞれの孔に係合機構を取り付ける工程と、
前記第１のモジュラー壁パネルの前記それぞれの係合機構を前記複数のブラケットのうちの第１のブラケットの前記第１のスロット手段に差し込むことによって、前記複数のブラケットのうちの前記第１のブラケットを取り付ける工程と、
前記第３のモジュラー壁パネルの前記それぞれの係合機構を前記複数のブラケットのうちの第２のブラケットの前記第１のスロット手段に差し込むことによって、前記複数のブラケットのうちの前記第２のブラケットを取り付ける工程であって、前記第１のモジュラー壁パネル及び前記第３のモジュラー壁パネルは、前記それぞれの外面部分が位置合わせされて前記壁の前記第１の面の少なくとも一部を形成するように横並びに配置される工程と、
前記壁の前記第２の面の少なくとも一部を形成するために前記第３のモジュラー壁パネルの前記外面部分が外側に面するように、前記第１のモジュラー壁パネル及び前記第３のモジュラー壁パネルに対向するとともに前記第１のモジュラー壁パネル及び前記第３のモジュラー壁パネルからずらして前記第２のモジュラー壁パネルを配置する工程と、
前記第２のモジュラー壁パネルに取り付けられている前記それぞれの係合機構が、前記第１のモジュラー壁パネル及び前記第３のモジュラー壁パネルにそれぞれ取り付けられる前記複数のブラケットのうちの前記第１のブラケット及び前記第２のブラケットのそれぞれの第２のスロット手段に収納されることを可能にするように、前記第２のモジュラー壁パネルを持ち上げる工程と、
を含む、方法。
【請求項７】
前記係合機構は、前記孔に挿通するインサートと、該インサートと協働して前記第１のスロット手段又は前記第２のスロット手段と係合するねじとを含む、請求項６に記載の方法。
【請求項８】
ブラケットを複数用いてモジュラー壁を構築する方法であって、前記モジュラー壁は、第１のモジュラー壁パネル、第２のモジュラー壁パネル及び第３のモジュラー壁パネルから構築され、各モジュラー壁パネルは、外面部分と、第１のサイド部分及び第２のサイド部分とを含み、
各ブラケットは、第１の縁及び第２の縁を有する支持構造体と、前記第１の縁から延びている第１のスロット手段と、前記第２の縁から延びている第２のスロット手段とを備え、前記方法は、
前記第１のモジュラー壁パネル、前記第２のモジュラー壁パネル及び前記第３のモジュラー壁パネルのそれぞれの孔に係合機構を取り付ける工程と、
前記第１のモジュラー壁パネルの前記それぞれの係合機構を前記複数のブラケットのうちの第１のブラケットの前記第１のスロット手段に差し込むことによって、前記複数のブラケットのうちの前記第１のブラケットを取り付ける工程と、
前記第３のモジュラー壁パネルの前記それぞれの係合機構を前記複数のブラケットのうちの第２のブラケットの前記第１のスロット手段に差し込むことによって、前記複数のブラケットのうちの前記第２のブラケットを取り付ける工程であって、前記第１のモジュラー壁パネル及び前記第３のモジュラー壁パネルは、前記それぞれの外面部分が位置合わせされて壁の第１の面の少なくとも一部を形成するように横並びに配置される工程と、
前記壁の第２の面の少なくとも一部を形成するために前記第３のモジュラー壁パネルの前記外面部分が外側に面するように、前記第１のモジュラー壁パネル及び前記第３のモジュラー壁パネルに対向するとともに前記第１のモジュラー壁パネル及び前記第３のモジュラー壁パネルからずらして前記第２のモジュラー壁パネルを配置する工程と、
前記第２のモジュラー壁パネルに取り付けられている前記それぞれの係合機構が、前記第１のモジュラー壁パネル及び前記第３のモジュラー壁パネルにそれぞれ取り付けられる前記複数のブラケットのうちの前記第１のブラケット及び前記第２のブラケットのそれぞれの第２のスロット手段に収納されることを可能にするように、前記第２のモジュラー壁パネルを持ち上げる工程と、
を含む、方法。
【国際調査報告】
2013537267.tif 000021
2013537267.tif 000022
2013537267.tif 000023
2013537267.tif 000024